(57)【要約】【課題】光ディスクを回転駆動する回転モータが設置された第１のベース部材と、光ディスクに対して光学的に記録／再生を行う光ピックアップが搭載された第２のベース部材とがなす角度を調整してチルト調整を行う構成のディスクドライブ装置を、簡潔な構成にして、小型化，低コスト化を図る。【解決手段】光ディスク１２が挿入されると昇降カム６により、第１のベース部材１が上昇力を受け、第２のベース部材３が第１のベース部材１と共に上昇してストッパ部材１０に当接する（図３（ａ））。この当接時点で、第２のベース部材３の回動が停止するが、第１のベース部材１の回動は継続可能であり、図３（ｂ）から図３（ｃ）間の回動可能範囲内において、第１のベース部材１に固定されているスピンドルモータ２に保持された光ディスク１２と、第２のベース部材３に搭載されている光ピックアップ４とがなす角度（チルト角）の調整が可能になる。【選択図】    図３
2004234811.tif 000002
【特許請求の範囲】
【請求項１】
光ディスクを回転駆動する回転モータと、前記光ディスクに対して光学的に記録／再生を行う光ピックアップと、該光ピックアップを前記光ディスクの径方向へ移動させる移動部材とが搭載されたベース部材を備えたディスクドライブ装置において、
前記ベース部材の一部に回動中心部を設け、該回動中心部で分かれた前記ベース部材の少なくとも一方を回動させる駆動部材を設置したことを特徴とするディスクドライブ装置。
【請求項２】
前記回動中心部により分けられた前記ベース部材の一方に前記回転モータを設け、他方に前記光ピックアップおよび前記移動部材を設けたことを特徴とする請求項１記載のディスクドライブ装置。
【請求項３】
前記回動中心部により分かれた前記ベース部材の一方を固定し、他方を回動可能にしたことを特徴とする請求項１または２記載のディスクドライブ装置。
【請求項４】
前記駆動部材により、前記回動中心部により分かれた前記ベース部材の一方と他方とを各々異なった回転角度にて回動させることを特徴とする請求項１または２記載のディスクドライブ装置。
【請求項５】
光ディスクを回転駆動する回転モータが設置された第１のベース部材と、前記光ディスクに対して光学的に記録／再生を行う光ピックアップおよび該光ピックアップを前記光ディスクの径方向へ移動させる移動部材が搭載された第２のベース部材と、前記光ディスクを所定のローディング位置に移動させるため前記第１のベース部材および／または前記第２のベース部材を駆動する駆動部材とを備えたディスクドライブ装置において、
前記第１のベース部材と前記第２のベース部材とをそれぞれ回動可能に設置し、前記駆動部材により前記第１のベース部材と前記第２のベース部材とがなす角度を調整可能にしたことを特徴とするディスクドライブ装置。
【請求項６】
前記各ベース部材の回動中心を同一に設定したことを特徴とする請求項５記載のディスクドライブ装置。
【請求項７】
前記駆動部材により前記ベース部材のいずれか一方を駆動し、他方の回動を、光ディスクを所定のローディング位置に移動したときにストッパ部材により規制することを特徴とする請求項５または６記載のディスクドライブ装置。
【請求項８】
前記各ベース部材の回動中心が異なるように設定したことを特徴とする請求項５記載のディスクドライブ装置。
【請求項９】
前記駆動部材により前記各ベース部材をそれぞれ独立して駆動することを特徴とする請求項８記載のディスクドライブ装置。
【請求項１０】
前記ベース部材の一方と他方との間に、互に反発する方向に付勢力を与える付勢部材を備えたことを特徴とする請求項１〜９いずれか１項記載のディスクドライブ装置。
【請求項１１】
光ディスクを回転駆動する回転モータが設置された第１のベース部材と、前記光ディスクに対して光学的に記録／再生を行う光ピックアップおよび該光ピックアップを前記光ディスクの径方向へ移動させる移動部材が搭載された第２のベース部材と、前記光ディスクを所定のローディング位置に移動させるため前記第１のベース部材を駆動する駆動部材とを備えたディスクドライブ装置において、
前記駆動部材により前記第１のベース部材のみを回動して、前記回転モータに装着された前記光ディスクと前記光ピックアップとにおけるチルト角を調整可能にしたことを特徴とするディスクドライブ装置。
【請求項１２】
前記光ディスクにおけるローディング移動時に、前記駆動部材により前記第１のベース部材を前記光ディスクの移動領域外に退避させることを特徴とする請求項１１記載のディスクドライブ装置。
【請求項１３】
前記光ディスクに対するエジェクト時に、前記駆動部材により前記第１のベース部材を前記光ディスクの移動領域外に退避させることを特徴とする請求項１１記載のディスクドライブ装置。
【請求項１４】
前記第１のベース部材を退避させると共に、前記移動部材により前記光ピックアップをディスク外周方向に退避させることを特徴とする請求項１２または１３記載のディスクドライブ装置。
【発明の詳細な説明】
【０００１】
【発明の属する技術分野】
本発明は、光ディスクを回転駆動して、光学的に記録／再生を行う光ピックアップを具備するディスクドライブ装置に係り、特に光ディスクと光ピックアップ間のチルト補正構造に関するものである。
【０００２】
【従来の技術】
ディスクドライブ装置として、一般的には特許文献１に記載されているように、ローディング機構ユニットによって、光ディスクをスピンドルモータのターンテーブル上にローディングし、ローディング後に光ディスクを回転駆動して、光ピックアップにて光学的に記録／再生を行う構成になっている。
【０００３】
また、特許文献２に記載されているディスクドライブ装置のように、ローディング後のディスククランプのために、全構成部材を搭載したシャーシ全体を、支点を中心として回動可能に支持して、クランプ動作時にシャーシを傾斜させるように構成されている。
【０００４】
さらに、光ディスクに対して光ピックアップにて良好に記録／再生を行われるようにするため、特許文献３に記載されているディスクドライブ装置のように、光ディスクを回転させるターンテーブルを取り付けた第１ベースと、光ピックアップをディスク径方向に移動自在に取り付けた第２ベースと、第２ベースを第１ベースに対して揺動させるためのチルトモータなどからなるラジアルチルト補正手段とを備えた構成のものが知られている。
【０００５】
【特許文献１】
特開２００１−３０７４０５号公報
【特許文献２】
特開平１０−１０５９８２号公報
【特許文献３】
特開２００２−４２３５１号公報
【０００６】
【発明が解決しようとする課題】
前記従来技術において、特許文献２に記載された構成のように、ディスクローディング時に、全構成部材を搭載したシャーシ全体を、支点を中心として回動可能に支持して、クランプ動作時にシャーシを傾斜させるような構成では、シャーシ全体の傾斜回動領域を確保する必要があり、そのために装置内に比較的大きなスペースが必要となり、また可動重量も大きいため、駆動源であるモータとして駆動容量の大きなものを使用する必要がある。
【０００７】
また、前記チルト補正は、光ピックアップにより光ディスクに対して良好な記録／再生を行うために必要であるが、特許文献３に記載された構成では、チルト補正のために、第２ベースを第１ベースに対して揺動させるチルトモータなどからなるラジアルチルト補正手段を特別に設置する必要があり、コスト的に、また小型化を図る上で問題となる。
【０００８】
本発明の目的は、前記従来の技術の問題を解決し、チルト調整を行う構成のディスクドライブ装置を、簡潔な構成にして、小型化，低コスト化を図ることができるようにすることにある。
【０００９】
【課題を解決するための手段】
前記目的を達成するため、請求項１に記載の発明は、光ディスクを回転駆動する回転モータと、前記光ディスクに対して光学的に記録／再生を行う光ピックアップと、該光ピックアップを前記光ディスクの径方向へ移動させる移動部材とが搭載されたベース部材を備えたディスクドライブ装置において、前記ベース部材の一部に回動中心部を設け、該回動中心部で分かれた前記ベース部材の少なくとも一方を回動させる駆動部材を設置したことを特徴とし、この構成によって、ベース部材の一部をチルト補正のために回動させることができる。
【００１０】
請求項２に記載の発明は、請求項１記載のディスクドライブ装置において、回動中心部により分けられたベース部材の一方に回転モータを設け、他方に光ピックアップおよび移動部材を設けたことを特徴とし、この構成によって、回転モータのターンテーブルにローディングされた後の光ディスクと、光ピックアップとのチルト角調整を容易に行うことができる。
【００１１】
請求項３に記載の発明は、請求項１または２記載のディスクドライブ装置において、回動中心部により分かれたベース部材の一方を固定し、他方を回動可能にしたことを特徴とし、この構成によって、一方のベース部材のみの回動スペースを確保すればよく、内部スペースの増大を最小に抑えることができる。
【００１２】
請求項４に記載の発明は、請求項１または２記載のディスクドライブ装置において、駆動部材により、回動中心部により分かれたベース部材の一方と他方とを各々異なった回転角度にて回動させることを特徴とし、この構成によって、微妙なチルト角調整を行うことが可能になる。
【００１３】
請求項５に記載の発明は、光ディスクを回転駆動する回転モータが設置された第１のベース部材と、前記光ディスクに対して光学的に記録／再生を行う光ピックアップおよび該光ピックアップを前記光ディスクの径方向へ移動させる移動部材が搭載された第２のベース部材と、前記光ディスクを所定のローディング位置に移動させるため前記第１のベース部材および／または前記第２のベース部材を駆動する駆動部材とを備えたディスクドライブ装置において、前記第１のベース部材と前記第２のベース部材とをそれぞれ回動可能に設置し、前記駆動部材により前記第１のベース部材と前記第２のベース部材とがなす角度を調整可能にしたことを特徴とし、この構成によって、光ディスクを所定のローディング位置に移動させるためにディスクドライブ装置に通常設置されるローディング用の駆動部材により、第１のベース部材と第２のベース部材とがなす角度を調整することができるため、従来のようなチルト用の特別なモータを設置する必要がなく、コスト的に有利で、小型化が図れる構成となる。
【００１４】
請求項６に記載の発明は、請求項５記載のディスクドライブ装置において、各ベース部材の回動中心を同一に設定したことを特徴とし、この構成によって、それぞれ独立した回動支持構造を設置する必要がなくなり、スペースメリットが向上し、コスト的にも有利になる。
【００１５】
請求項７に記載の発明は、請求項５または６記載のディスクドライブ装置において、駆動部材によりベース部材のいずれか一方を駆動し、他方の回動を、光ディスクを所定のローディング位置に移動したときにストッパ部材により規制することを特徴とし、この構成によって、簡単な機構にて、両ベース部材がなす角度を調整することが可能になる。
【００１６】
請求項８に記載の発明は、各ベース部材の回動中心が異なるように設定したことを特徴とし、この構成によって、装置の仕様に合わせて、回動支持構造を設置することができるようになり、設計の自由度が増す。
【００１７】
請求項９に記載の発明は、請求項８記載のディスクドライブ装置において、駆動部材により各ベース部材をそれぞれ独立して駆動することを特徴とし、装置の仕様に合わせて、連結機構などを介して各ベース部材を駆動することができるため、設計の自由度が増す。
【００１８】
請求項１０に記載の発明は、請求項１〜９いずれか１項記載のディスクドライブ装置において、ベース部材の一方と他方との間に、互に反発する方向に付勢力を与える付勢部材を備えたことを特徴とし、この構成によって、両ベース部材における協働が無理なく、良好に行われる。
【００１９】
請求項１１に記載の発明は、光ディスクを回転駆動する回転モータが設置された第１のベース部材と、前記光ディスクに対して光学的に記録／再生を行う光ピックアップおよび該光ピックアップを前記光ディスクの径方向へ移動させる移動部材が搭載された第２のベース部材と、前記光ディスクを所定のローディング位置に移動させるため前記第１のベース部材を駆動する駆動部材とを備えたディスクドライブ装置において、前記駆動部材により前記第１のベース部材のみを回動して、前記回転モータに装着された前記光ディスクと前記光ピックアップとにおけるチルト角を調整可能にしたことを特徴とし、この構成によって、チルト補正のために最低必要限の部材（回転モータ）のみを回動駆動させるようにすることができるため、省スペース化および省駆動電力などを図ることができ、小型化あるいはコスト面においても有利な構成になる。
【００２０】
請求項１２に記載の発明は、請求項１１記載のディスクドライブ装置において、光ディスクにおけるローディング移動時に、駆動部材により第１のベース部材を光ディスクの移動領域外に退避させることを特徴とし、この構成によって、前記のように小型化あるいはコスト面においても有利な構成で、円滑なローディングが行われる。
【００２１】
請求項１３に記載の発明は、請求項１１記載のディスクドライブ装置において、光ディスクに対するエジェクト時に、駆動部材により第１のベース部材を光ディスクの移動領域外に退避させることを特徴とし、この構成によって、前記のように小型化あるいはコスト面においても有利な構成で、円滑なエジェクトが行われる。
【００２２】
請求項１４に記載の発明は、請求項１２または１３記載のディスクドライブ装置において、第１のベース部材を退避させると共に、移動部材により光ピックアップをディスク外周方向に退避させることを特徴とし、この構成によって、ローディングあるいはエジェクト時における光ディスクと光ピックアップとの当接を未然に防ぐことができる。
【００２３】
【発明の実施の形態】
以下、本発明の好適な実施形態について図面を参照しながら説明する。
【００２４】
図１は本発明に係るディスクドライブ装置の実施形態１における要部の側面説明図、図２は図１に示す実施形態１の分解斜視図であり、１は光ディスクを回転駆動するスピンドルモータ２が設置された第１のベース部材、３は、光ディスクに対して光学的に記録／再生を行う光ピックアップ４と、光ピックアップ４を光ディスクの径方向へシーク移動させるガイドシャフト５と、シークモータなどのシーク駆動機構（図示せず）などからなる移動部材などが搭載された第２のベース部材、６は、第１のベース部材１の一側部に突設された従動突起部７と係合して、光ディスクのローディング時とエジェクト時に第１のベース部材１を上下駆動させる昇降カムであって、駆動モータ（図示せず）などから駆動部材を構成している。
【００２５】
第１のベース部材１と第２のベース部材３とは、他側部において共通の回動中心として支持軸８にてそれぞれ独立して回動可能に連結され、かつ第１のベース部材１と第２のベース部材３間には、互いに反発する方向（本例では互いに広がる方向）に付勢力を与える付勢部材であるトーションバネ９が設けられ、間隔Ａが開いている。
【００２６】
なお、図中の１０は、支持フレーム１１に突設されて、第２のベース部材３の上昇回動を規制するストッパ部材である。
【００２７】
図３（ａ）〜（ｃ）は前記構成の実施形態１における動作の説明図であり、１２が光ディスクであって、ローディングが進んでいくにしたがって、図３（ａ）から図３（ｃ）へ動作が移行する。光ディスク１２が挿入される前は、図１に示すように、光ディスクの挿入を受けるために、第１のベース部材１が昇降カム６にてディスク挿入側が下がるように退避位置に規制され、この第１のベース部材１と共に第２のベース部材３が退避位置にある。
【００２８】
図３（ａ）に示すように、光ディスク１２が挿入されると昇降カム６により、第１のベース部材１が上昇力を受け、第２のベース部材３が第１のベース部材１と共に上昇してストッパ部材１０に当接する。この当接時点で、第２のベース部材３の回動が停止するが、第１のベース部材１の回動は継続可能である。
【００２９】
このため、図３（ｂ）から図３（ｃ）間の回動可能範囲内において、第１のベース部材１に固定されているスピンドルモータ２に保持（クランプ）されている光ディスク１２と、第２のベース部材３に搭載されている光ピックアップ４とがなす角度（チルト角）の調整を、第１のベース部材１を回動させること、すなわち、昇降カム６を制御して第１のベース部材１の回動角度を調整することにより行うことができる。
【００３０】
図４（ａ）〜（ｃ）は本発明に係るディスクドライブ装置の実施形態２における要部の構成と動作を示す説明図である。なお、以下の説明において、図１〜図３に示す実施形態１にて説明した部材と同一機能のものには同一符号を付して詳しい説明は省略する。
【００３１】
実施形態２における前記実施形態１との相違点は、第１のベース部材１と第２のベース部材３との回動中心の設置位置が異なり、第１のベース部材１の回動中心としての支軸１５が一端部に設けられ、また第２のベース部材３の回動中心としての支軸１６が略中央部に設けられ、さらに第２のベース部材３の支軸１６と、該支軸１６に対向する第１のベース部材１における端部との間に引張りバネ９´を架設している点である。
【００３２】
実施形態２では、第２のベース部材３は、引張りバネ９´の架設部分と反対側端部がストッパ部材１０に引張りバネ９´の引張り力を受けて当接している。したがって、第１のベース部材１が駆動部材６により上昇力を受けると、第１のベース部材１が、ストッパ部材１０に規制されている第２のベース部材３に対して回動することになり、既述したチルト角調整（チルト補正）を行うことができる。
【００３３】
図５（ａ），（ｂ）は前記駆動部材を構成する昇降カムの形状の説明図であり、実施形態１あるいは実施形態２では、図５（ａ）に示すようなカム溝２０を有する昇降カム６が第１のベース部材１の側部をスライドすることにより、第１のベース部材１の従動突起部７をカム溝２０に沿って上下動させるようにしている。
【００３４】
カム溝の形状としては、図５（ｂ）に示す昇降カム２２のカム溝２３のように、１段階の傾斜２３ａによる上下動を行うようにすることができるが、前記実施形態１，２に用いる昇降カム６では、図５（ａ）に示すようなカム溝２０の形状のように、第１の傾斜部分２０ａにて一旦上昇した後、さらに上昇できるように第２の傾斜部分２０ｂを設けている。すなわち、光ディスク１２をチャッキングするローディング動作までは第１の傾斜部分２０ａによる駆動を行い、第２の傾斜部分２０ｂによってチルト角調整のための駆動を行うようにしている。これによって、第２のベース部材３がストッパ部材１０に当接して停止した段階から第１のベース部材１と異なった挙動をすること、すなわち、第１のベース部材１がさらに上昇して、両ベース部材１，３における相対角度が変化することを可能にしている。
【００３５】
図６は本発明に係るディスクドライブ装置の実施形態３における要部の構成と動作を示す説明図であり、実施形態３では、実施形態２におけるストッパ部材１０に変えて、図５（ａ），（ｂ）に示す昇降カム６，２２を用いた構成であって、第１のベース部材１の一側部に第１の従動突起部７を設けると共に、第２のベース部材３の一側部に第２の従動突起部２５を設け、第１の従動突起部７を図５（ａ）に示す昇降カム６に挿入し、第２の従動突起部２５を図５（ｂ）に示す昇降カム２２に挿入している。
【００３６】
さらに、図５（ａ），（ｂ）に示すように、昇降カム６のカム溝２０における第１の傾斜部分２０ａと第２の傾斜部分２０ｂ間の中間水平部２０ｃと、昇降カム２２のカム溝２３における傾斜２３ａの上部水平部２３ｂとが、同一水平位置にあるようにカム形状を設定している。
【００３７】
このようにしたことにより、実施形態２，３において設置されたストッパ部材１０を不要にすることができる。すなわち、昇降カム６，２２のスライドにより、第１のベース部材１と第２のベース部材３とを、途中まで両者共に上昇させ、第２のベース部材３の第２の従動突起部２５がカム溝２３の上部水平部２３ｂに達して上昇停止しても（前記ストッパ部材１０と同一作用）、第１のベース部材１を昇降カム６のスライドによりカム溝２０の第２の傾斜部分２０ｂによって、さらに上昇させることができる（チルト角の補正可能）。
【００３８】
図７は本発明に係るディスクドライブ装置の実施形態４の構成を示す斜視図であり、３１は光ディスク１２を回転駆動するスピンドルモータ３２が設置された第１のベース部材である前方ベース部材、３３は第２のベース部材である後方ベース部材であって、この後方ベース部材３３には、光ディスク１２に対して光学的に記録／再生を行う光ピックアップ３４と、光ピックアップ３４を光ディスク１２の径方向へシーク移動させるためのシーク用スクリュー３５と、シーク用スクリュー３５を駆動するシークモータ３６と、シークモータ３６からのシーク駆動力を受けて光ピックアップ３４に伝達するためティース部材３７と、一対のガイドシャフト３８などからなるピックアップ移動部材が搭載されている。
【００３９】
さらに、３９は前方ベース部材３１と後方ベース部材３３との両側一部を回動可能に支持する回動中心部としての一対の支持ピン、４０は、前方ベース部材３１の一側部に突設された従動突起部４１と係合して、前方ベース部材３１を上下駆動させる図５（ａ），（ｂ）に示す昇降カム６あるいは昇降カム２２と同様の形状（本例では図５（ｂ）の昇降カム２２を採用した）のカム溝４２が形成された昇降カム４３，駆動モータ（図示せず）などからなる駆動部材である。
【００４０】
実施形態４では、前方ベース部材３１と後方ベース部材３３とが、支持ピン３９により互に回動可能に連結しており、前方ベース部材３１の従動突起部４１が、昇降カム４３の横動によってカム溝４２に沿って上下動することに伴い、前方ベース部材３１が昇降することによって、後方ベース部材３３に対して前方ベース部材３１が傾斜するようになっている。
【００４１】
図８（ａ），（ｂ）は実施形態４における動作の説明図であって、後方ベース部材３３が固定されており、図８（ｂ）に示す水平セット状態から昇降カム４３を横動させることにより、光ディスク１２に対する光ピックアップ３４のチルト補正を行うことができる。
【００４２】
例えば昇降カム４３を一方向に横動させることによって、従動突起部４１をカム溝４２に沿って下方位置に移動させれば、図８（ａ）に示すように、前方ベース部材３１と共にスピンドルモータ３２が前方（図では左側）に傾斜することになって、これにより、光ディスク１２に対する光ピックアップ３４の光軸を傾けることができる。
【００４３】
図９は本発明に係るディスクドライブ装置の実施形態５の構成を説明するための説明図であり、実施形態５における実施形態４との相違点は、前方ベース部材３１を固定し、後方ベース部材３３を可動にして、後方ベース部材３３に従動突起部４１を突設することにより、後方ベース部材３３の従動突起部４１が、昇降カム４３の横動によってカム溝４２に沿って上下動することに伴い、後方ベース部材３３が昇降することによって、前方ベース部材３１に対して後方ベース部材３３が傾斜するようになっている点である。
【００４４】
実施形態４と実施形態５とは、前方ベース部材３１と後方ベース部材３３とのいずれか一方を固定し、他方を回動する構成にしてチルト補正を可能にしているるが、前方ベース部材３１と後方ベース部材３３との両方に従動突起部４１をそれぞれ突設し、前方ベース部材３１と後方ベース部材３３とを前記と同様に駆動して、それぞれ異なった回動角度にて回動することができる構成にすれば、状況に応じたより微妙なチルト補正が可能になる。
【００４５】
図１０は本発明に係るディスクドライブ装置の実施形態６の構成を説明するための説明図であり、実施形態６の構成は図７に示す実施形態４の構成を基本にしたものであって、図７にて説明した部材に対応する部材には同一符号を付して詳しい説明は省略する。
【００４６】
実施形態６は前方ベース部材３１と、この前方ベース部材３１の下部に配設された昇降用ベース部材５０とを防振用のゴム部材５１を介して連動するようにしたものであり、昇降用ベース部材５０の前部に従動突起部５２を突設している。従動突起部５２は、前記実施形態にて説明した昇降カム６，２２，４３などによって駆動され、前方ベース部材３１を支持ピン３９を中心として回動可能になっている。また、後方ベース部材３３の下側にも防振用のゴム部材５３を設けて、図１０には図示しない本体シャーシとの間に介在させるようにしている。
【００４７】
実施形態６では、図１１（ａ）〜（ｃ）に示す動作説明図のように、非作動時には、昇降用ベース部材５０が水平状態に保持されて前方ベース部材３１と後方ベース部材３３とが水平位置に保持されている（図１１（ａ））。
【００４８】
そして、チルト補正時には、後述する駆動機構により昇降用ベース部材５０を図における上下方向に回動させ前方ベース部材３１を傾斜させることにより、スピンドルモータ３２の回転軸の角度を適宜調整することで、後方ベース部材３３に設けられている光ピックアップ３４とスピンドルモータ３２にクランプされる光ディスク１２に対する相対角度を調整することができる。
【００４９】
また図１１（ｂ）に示すように、光ディスク１２のローディング移動時には、駆動機構により昇降用ベース部材５０を反時計方向に回動させて、前方ベース部材３１およびスピンドルモータ３２を光ディスク１２の移動領域外に退避させる。そして、光ディスク１２がスピンドルモータ３２のチャッキング部にクランプされる位置に達した時点で、駆動機構を動作させて昇降用ベース部材５０を時計方向に回動させ、前方ベース部材３１における上方への回動にて光ディスク１２をスピンドルモータ３２のチャッキング部でクランプすることにより、ディスク回動可能状態にする（図１１（ｃ））。
【００５０】
このため、チルト補正時およびローディング時に、最低必要限の部材（本例ではスピンドルモータ３２）のみを移動させることで、省スペース化および省駆動電力化などを図ることができ、小型化あるいはコスト面において有利となり、またローディングを円滑に行うことができる。
【００５１】
なお、図１１（ｂ）において、前方ベース部材３１を退避させると共に、図１０に示すシークモータ３６を駆動して光ピックアップ３４をディスク外周方向に退避させることによって、ローディング時における光ディスク１２と光ピックアップ３４との当接などの不具合を未然に防ぐことができる。
【００５２】
さらに光ディスクに対するエジェクト時にも、前記のように前方ベース部材３１を退避させ、最低必要限の部材のみを移動させることで、前記と同様に省スペース化および省駆動電力などを図ることができ、小型化あるいはコスト面においても有利で、かつ安全性を高められ、しかも、光ピックアップ３４をディスク外周方向に同時に退避させるようにすれば、エジェクト時の安全性を高めることができる。
【００５３】
次に、前記実施形態にて説明した昇降カム６，２２，４３などを介して第１のベース部材１，前方ベース部材３１を回動駆動する駆動機構の一例について説明する。
【００５４】
図１２は本実施形態におけるディスクドライブ装置を搭載した記録／再生装置のトレイ排出時の状態、図１３はトレイローディング完了時点の状態、図１４はディスククランプ完了時点の状態を示す平面図である。
【００５５】
図１２〜図１４において、５５は記録／再生装置本体内に固定される本体シャーシであって、本例では実施形態６にて説明した図１０に示す構成のディスクドライブ装置が搭載されている。５６は、本体シャーシ５５に対して出入可能に設けられ、平面部に光ディスク１が載置されるトレイである。５７はローディング用モータであり、このモータ５７の動力は、一対のプーリ５８，５９とベルト６０、および減速歯車６１を介してトレイ駆動用歯車６２に伝達される。
【００５６】
図１２に示すように、トレイ駆動用歯車６２はトレイ５６の側部に設けられたラック６３に噛合され、これによってトレイ５６は矢印Ｘ方向にローディング移動される。また、トレイ駆動用歯車６２はスライダ搬送用歯車６４に対して噛合可能になっている。トレイ５６のローディング期間には、スライダ搬送用歯車６４は、既述した昇降カム６，２２，４３と同一構造であるスライダ部材６５に設けられたラック６６に噛合していない。
【００５７】
図１３に示すように、トレイ５６が本体シャーシ５５内の所定の位置まで移動されると、トレイ５６の裏面に設けられた案内溝部６７に、スライダ部材６５に設けられた案内ピン６８が入り、案内溝部６７による案内作用を受ける案内ピン６８を介してスライダ部材６５は矢印Ｙ方向にスライドする。
【００５８】
このスライダ部材６５の移動によって、図１４に示すように、スライダ部材６５のラック６６がスライダ搬送用歯車６４と噛合状態となり、スライダ部材６５はローディング用モータ５７の動力により本体シャーシ５５の側方（Ｙ方向）にさらにスライドする。
【００５９】
この時点で、トレイ駆動用歯車６２とトレイ５６のラック６３との噛合が解除され、トレイ５６のローディング移動が終了し、昇降カム６，２２，４３としてのスライダ部材６５と従動突起部５２（既述した実施形態における従動突起部７，２５，４１に相当する）とによる第１のベース部材１あるいは前方ベース部材３１に対する既述した回動制御，チルト補正、およびその保持がなされ、しかる後、ローディング用モータ５７の回転が停止する。
【００６０】
また、ディスククランプの解除と光ディスク１２のエジェクト、すなわちトレイ５６のアンローディング移動は、ローディング用モータ５７を逆回転させることで、以上の動作と逆の手順で行われる。
【００６１】
また、前記実施形態１〜６の構成における各部を適宜組み合わせて構成することも可能である。
【００６２】
【発明の効果】
以上説明したように、本発明に係るディスクドライブ装置によれば、ベース部材の一部に回動中心部を設け、該回動中心部で分かれたベース部材の少なくとも一方を回動させる駆動部材を設置したことによって、簡単で簡素化された構成でベース部材の一部をチルト補正のために回動させることができる。
【００６３】
また、光ディスクを所定のローディング位置に移動させるためにディスクドライブ装置に通常設置されるローディング用の駆動部材により、ベース部材の傾斜角度を調整することによって、光ディスクと光ピックアップとのチルト補正を行うことが可能になり、従来のようなチルト用の特別なモータを設置する必要がなくなるなど、コスト的に有利で、小型化が実現する。
【００６４】
また、チルト補正に際して最低必要限度の部材（回転モータ）のみを回動駆動させるようにすることによって、省スペース化および省駆動電力などを図ることができ、小型化あるいはコスト面においても有利な構成になる。さらに、光ディスクにおけるローディング移動時あるいはエジェクト時に、光ピックアップを光ディスクの移動領域外に退避させることにより、ローディングあるいはエジェクトが円滑に行われることになる。
【００６５】
また、光ディスクにおけるローディング移動時あるいはエジェクト時に、光ピックアップをディスク外周方向に退避させることによって、光ディスクと光ピックアップとの当接を未然に防ぐことができるため、安全性の向上を図ることができる。
【図面の簡単な説明】
【図１】本発明に係るディスクドライブ装置の実施形態１における要部の側面説明図
【図２】実施形態１の分解斜視図
【図３】実施形態１における動作の説明図
【図４】本発明に係るディスクドライブ装置の実施形態２における要部の構成と動作の説明図
【図５】本実施形態における駆動部材を構成する昇降カムの形状の説明図
【図６】本発明に係るディスクドライブ装置の実施形態３における要部の構成と動作の説明図
【図７】本発明に係るディスクドライブ装置の実施形態４における構成を示す斜視図
【図８】（ａ），（ｂ）は実施形態４における動作の説明図
【図９】本発明に係るディスクドライブ装置の実施形態５の構成を説明する説明図
【図１０】本発明に係るディスクドライブ装置の実施形態６の構成を説明するための説明図
【図１１】実施形態６のローディング時あるいはエジェクト時における動作説明図
【図１２】本実施形態におけるディスクドライブ装置を搭載した記録／再生装置のトレイ排出時の状態を示す平面図
【図１３】図１２の装置におけるトレイローディング完了時点の状態を示す平面図
【図１４】図１２の装置におけるディスククランプ完了時点の状態を示す平面図
【符号の説明】
１  第１のベース部材
２，３２  スピンドルモータ
３  第２のベース部材
４，３４  光ピックアップ
５，３８  ガイドシャフト
６，２２，４３  昇降カム
７，２５，４１，５２  従動突起部
８  支持軸
９  トーションバネ
１０  ストッパ部材
１１  支持フレーム
１２  光ディスク
１５，１６  支軸
２０，２３，４２  カム溝
２０ｃ  カム溝２０の中央水平部
２３ｂ  カム溝２３の上部水平部
３１  前方ベース部材
３３  後方ベース部材
３５  シーク用スクリュー
３６  シークモータ
３９  支持ピン
４０  駆動部材
５６  トレイ
６２  トレイ駆動用歯車
６３  ラック
６４  スライダ搬送用歯車
６５  スライダ部材（昇降カム）
【図１】
2004234811.tif 000003
【図２】
2004234811.tif 000004
【図３】
2004234811.tif 000005
【図４】
2004234811.tif 000006
【図５】
2004234811.tif 000007
【図６】
2004234811.tif 000008
【図７】
2004234811.tif 000009
【図８】
2004234811.tif 000010
【図９】
2004234811.tif 000011
【図１０】
2004234811.tif 000012
【図１１】
2004234811.tif 000013
【図１２】
2004234811.tif 000014
【図１３】
2004234811.tif 000015
【図１４】
2004234811.tif 000016